(57)【特許請求の範囲】
【請求項１】
車両のエンジンルームと車室を仕切るダッシュパネルの車室内側に配置される車両用ダッシュサイレンサであって、
該ダッシュサイレンサは、繊維積層体を加熱・加圧成形によって形成されており、前記ダッシュパネルの車室内面の凹凸形状に即して立体凹凸状に形成されて前記ダッシュパネルに面して配設される相対的に広い面積の主ダッシュサイレンサ部位と、該主ダッシュサイレンサ部位の車室内面側に積層状態として配設される相対的に狭い面積の副ダッシュサイレンサ部位とから成り、
前記主ダッシュサイレンサ部位と副ダッシュサイレンサ部位の積層状態として配設される両部位間には該両部位の積層状態を保持することのできる係止手段が設けられており、
前記副ダッシュサイレンサ部位は前記主ダッシュサイレンサ部位の遮音性能上必要とされる箇所に積層配置されて前記係止手段により係止されて構成されており、
前記主ダッシュサイレンサ部位と副ダッシュサイレンサ部位とは成形時において平面的に隣接した一体的状態として配設されて形成され、両者を折り曲げて積層状態とされており、
前記主ダッシュサイレンサ部位は車両装備品を取り付けるための取付孔を有する構成であり、前記副ダッシュサイレンサ部位は該取付孔の位置において積層配置される構成であり、
該副ダッシュサイレンサ部位は、車両装備品との干渉を退避する貫通孔と、外周から該貫通孔に向かって切り込まれた切り込み溝と、が形成されており、
前記貫通孔は、前記主ダッシュサイレンサ部位に形成される取付孔より小さく形成されており、
前記副ダッシュサイレンサ部位は、前記主ダッシュサイレンサ部位を前記ダッシュパネルに取り付けた状態で前記主ダッシュサイレンサ部位の車室内面側に折り曲げて積層状態とされる構成であり、
前記係止手段は、前記副ダッシュサイレンサが折り曲げられる位置とは反対側の端部に設けられていることを特徴とする車両用ダッシュサイレンサ。
【請求項２】
請求項１に記載の車両用ダッシュサイレンサであって
前記係止手段は、面ファスナで構成されていることを特徴とする車両用ダッシュサイレンサ。
【発明の詳細な説明】
【技術分野】
【０００１】
この発明は車両用ダッシュサイレンサに関する。詳しくは、車両のエンジンルームと車室を仕切るダッシュパネルの車室内側に配置される車両用ダッシュサイレンサに関する。
【背景技術】
【０００２】
従来、車両のエンジンルームと車室を仕切るダッシュパネルの車室内側に配置されてエンジンルーム内の騒音及び振動が車室内に侵入するのを軽減ないしは防止する車両用ダッシュサイレンサが知られている（例えば特許文献１）。この車両用ダッシュサイレンサは、軽量化に鑑みて繊維積層体の軽量防音材が主流となっており、例えばフェルト系等の繊維積層体が用いられている。
【０００３】
ところで、車両のエンジンルームと車室を仕切るダッシュパネルは、車種によって形状が様々であり、車室内側形状も平坦ではなく種々の凹凸形状に形成されており、上記車両用ダッシュサイレンサもこれに即して凹凸形状に形成されて車室内側面の形状に沿うことにより、ダッシュパネルの車室内側を隙間無く覆いエンジンルーム内の騒音及び振動の軽減ないしは防止を図っている。
【０００４】
また、ダッシュパネルには、エンジンルームと車室内側とを連通する車両装備品が多く装着される部位であり、この車両装備品を取り付けるための開孔が設けられている。そして、車両用ダッシュサイレンサにおいてもこの開孔と対応する位置に孔部が設けられている。この孔部は、車室内側からの嵌合作業、車室外側からの嵌合作業と様々な作業がなされる。例えば、ワイヤーハーネス用グロメットをダッシュパネルに取り付ける際は、この車両用ダッシュサイレンサには取付用の大孔を開ける方法が採用されている。また、孔部を含めた繊維積層体を捲り構造とする方法も採用されている。一方、車室外側から嵌合作業を行なう場合には、孔から放射状にスリットを設定することで孔部の径を最小にしつつ車両装備品の取り付けを容易にする方法が採用されている。
【０００５】
ここで、上記孔部及び捲り構造においてはエンジンルーム内の騒音及び振動が車室内側に侵入してしまうという問題があった。このエンジンルーム内の騒音及び振動による所謂ノイズ、バイブレーション性能は、車の快適性に直接影響するものであり、このノイズ、バイブレーション性能を向上させる方法のひとつとして、繊維積層体の材料（繊維体）の目付を上げて最高板厚を上げる方法が採用されていた。
【先行技術文献】
【特許文献】
【０００６】
【特許文献１】特開２００７−２１０３８１号公報
【発明の概要】
【発明が解決しようとする課題】
【０００７】
しかしながら、繊維積層体の最高板厚を上げるためには相当量の目付を上げる必要があるため、大幅な質量の増加が懸念されている。また、製品全体の目付を上げなくてはならないため、板厚の増加を必要としない部位までもが板厚増加を余儀なくされるという懸念があった。また、取付用の大孔を開ける場合、エンジンルーム内の騒音及び振動が容易に車室内側に侵入してしまいノイズ、バイブレーション性能上、優れた仕様とは言えない。また、孔部そのものを捲りの構造とする場合、この捲りの構造を捲りながら車両装備品を孔部に通して取り付けるため、片手での取付作業となり取付作業が煩わしいといった問題が懸念されている。
また、この捲りの構造の場合は、捲った繊維積層体の部位が元位置まで戻らないで口開き状態となることもあって音洩れの懸念があるし、車両装備品の取付時における荷姿も懸念されている。一方、車室外側から嵌合作業を行なう場合に採用されている方法（孔から放射状にスリットを設定し孔部の径を最小にする方法）は、車両装備品を取り付けた状態のときにスリット部位が口開きとなって音洩れするという問題や、車両装備品の貫通作業時にこのスリット部位が貫通を困難にさせる場合がある。
【０００８】
そこで、本発明者は、上記車両用ダッシュサイレンサにおいて大幅な質量の増加をさせることなく必要な部位のノイズ、バイブレーション性能を向上する構造について鋭意検討した。その結果、上記車両用ダッシュサイレンサの製造過程において、この車両用ダッシュサイレンサの材料となる繊維積層体が加熱・加圧されたのち、外形トリムする工程、車両用ダッシュサイレンサの製品内部に孔部を形成する工程の際に、製品外として除去される製品外部位に着目した。すなわち、この製品外部位を有効に活用することができれば、大幅な質量の増加をさせることなく必要部位のみ製品板厚を増加しノイズ、バイブレーション性能の向上を図ることができる。また、この製品外部位の形状を工夫することで煩わしい取付作業の改善を図り作業性が向上することができる。
【０００９】
而して、本発明は、このような点に鑑みて創案されたものであり、本発明が解決しようとする課題は、車両用ダッシュサイレンサにおいて、大幅な質量の増加をさせることなく必要部位のみ製品板厚を増加しノイズ、バイブレーション性能の向上を図ることにある。
【課題を解決するための手段】
【００１０】
上記課題を解決するために、本発明の車両用ダッシュサイレンサは次の手段をとる。
先ず、第１の発明に係る車両用ダッシュサイレンサは、車両のエンジンルームと車室を仕切るダッシュパネルの車室内側に配置される車両用ダッシュサイレンサであって、該ダッシュサイレンサは、繊維積層体を加熱・加圧成形によって形成されており、前記ダッシュパネルの車室内面の凹凸形状に即して立体凹凸状に形成されて前記ダッシュパネルに面して配設される相対的に広い面積の主ダッシュサイレンサ部位と、該主ダッシュサイレンサ部位の車室内面側に積層状態として配設される相対的に狭い面積の副ダッシュサイレンサ部位とから成り、前記主ダッシュサイレンサ部位と副ダッシュサイレンサ部位の積層状態として配設される両部位間には該両部位の積層状態を保持することのできる係止手段が設けられており、前記副ダッシュサイレンサ部位は前記主ダッシュサイレンサ部位の遮音性能上必要とされる箇所に積層配置されて前記係止手段により係止されて構成されており、前記主ダッシュサイレンサ部位と副ダッシュサイレンサ部位とは成形時において平面的に隣接した一体的状態として配設されて形成され、両者を折り曲げて積層状態とされており、前記主ダッシュサイレンサ部位は車両装備品を取り付けるための取付孔を有する構成であり、前記副ダッシュサイレンサ部位は該取付孔の位置において積層配置される構成であり、該副ダッシュサイレンサ部位は、車両装備品との干渉を退避する貫通孔と、外周から該貫通孔に向かって切り込まれた切り込み溝と、が形成されており、前記貫通孔は、前記主ダッシュサイレンサ部位に形成される取付孔より小さく形成されており、前記副ダッシュサイレンサ部位は、前記主ダッシュサイレンサ部位を前記ダッシュパネルに取り付けた状態で前記主ダッシュサイレンサ部位の車室内面側に折り曲げて積層状態とされる構成であり、前記係止手段は、前記副ダッシュサイレンサが折り曲げられる位置とは反対側の端部に設けられていることを特徴とする。
【００１１】
この第１の発明によれば、主ダッシュサイレンサ部位と、副ダッシュサイレンサ部位とから構成されている。この副ダッシュサイレンサ部位は、遮音性能上必要とされる箇所に積層配置されることから製品全体の目付けを上げることがない。そのため、大幅な質量の増加をさせることなく必要部位のみ製品板厚を増加し、エンジンルーム内の騒音及び振動が車室内に侵入するのを軽減ないしは防止して、ノイズ、バイブレーション性能の向上を図ることができる。また、大幅な質量増加の抑制によってコストの抑制も図れる。また、係止手段によって、副ダッシュサイレンサ部位を主ダッシュサイレンサ部位の遮音性能上必要とされる箇所に積層配置された状態を保持することができる。
また、主ダッシュサイレンサ部位と副ダッシュサイレンサ部位とは成形時において平面的に隣接した一体的状態として配設されて形成されているため、主ダッシュサイレンサ部位をダッシュパネルに取り付けた後に主ダッシュサイレンサ部位の車室内面側に折り曲げて積層状態とする作業であることから作業性の向上が図れる。
また、エンジンルーム内の騒音及び振動が車室内側に侵入してノイズ、バイブレーション性能の影響が著しい部位は、車両装備品を取り付けるための取付孔の部位である。そのため、この取付孔の部位に副ダッシュサイレンサ部位を構成して製品板厚を増加されることで、効率よくノイズ、バイブレーション性能の向上を図ることができる。
また、副ダッシュサイレンサ部位は、車両装備品との干渉を退避する貫通孔と、外周からこの貫通孔に向かって切り込まれた切り込み溝とが形成されており、この貫通孔は、主ダッシュサイレンサ部位に形成される取付孔より小さく形成されている。すなわち、副ダッシュサイレンサ部位は、主ダッシュサイレンサ部位の車室内面側に積層状態に配設する際に副ダッシュサイレンサ部位に形成された切り込み溝の溝部に車両装備品を通過させ、貫通孔を主ダッシュサイレンサ部位の取付孔の位置に配設する構成となっている。また、貫通孔は、主ダッシュサイレンサ部位の取付孔より小さく形成されているため、車両装備品との干渉を退避するとともに、エンジンルーム内の騒音及び振動が車室内側に侵入するのを抑制する構成とされている。
【００１２】
次に、第２の発明は、上述した第１の発明において、前記係止手段は、面ファスナで構成されていることを特徴とする。
【発明の効果】
【００２０】
本発明は上記各発明の手段をとることにより、車両用ダッシュサイレンサは、大幅な質量の増加をさせることなく必要部位のみ製品板厚を増加しノイズ、バイブレーション性能の向上を図ることができる。
【図面の簡単な説明】
【００２１】
【図１】本実施例に係る車両用ダッシュサイレンサの車体取付状態を概略的に示した全体斜視図である。
【図２】本実施例に係る車両用ダッシュサイレンサの車体取付状態を概略的に示した縦断面図である。
【図３】本実施例に係る車両用ダッシュサイレンサを示した平面図である。
【図４】本実施例に係る車両用ダッシュサイレンサの変形例を示した平面図である。
【図５】図３のV−V線断面図である。
【図６】図４のVI−VI線断面図である。
【図７】図３のVII−VII線断面図である。
【図８】図４のVIII−VIII線断面図である。
【図９】図３のIXの位置の部分拡大斜視図である。
【図１０】図４のXの位置の部分拡大斜視図である。
【発明を実施するための形態】
【００２２】
以下に、本発明を実施するための形態の実施例について図面を用いて説明する。
【実施例１】
【００２３】
先ず、この発明の実施例１に係る車両用ダッシュサイレンサを図１から図６、及び図９、図１０にしたがって説明する。
図１は、本実施例に係る車両用ダッシュサイレンサの車体取付状態を概略的に示した全体斜視図である。図２は、本実施例に係る車両用ダッシュサイレンサの車体取付状態を概略的に示した縦断面図である。
図１及び図２に図示されるように、車両のエンジンルームＥと車室Ｒを仕切るダッシュパネルＰが配置構成されている。このダッシュパネルＰは、鋼板製の板状部材がプレス成形によって形成されたものであり、車体構造及びステアリング、ブレーキ装置、或いは各種配管等の車両装備品との干渉を避けるために複雑な立体凹凸状に形成されている。
また、上記の車両装備品をダッシュパネルＰに取り付けるために貫通状に設けられた種々の形状の開孔（図示省略）が形成されている。
また、車両用ダッシュサイレンサ１０をダッシュパネルＰの車室Ｒの内面側に取り付けるために、車室Ｒの内側面に突設したスタッドボルト（図示省略）が構成されている。
【００２４】
図２に図示されるように、ダッシュパネルＰの車室Ｒ側には、車両用ダッシュサイレンサ１０が配置構成されている。この車両用ダッシュサイレンサ１０は、エンジンルームＥ内のエンジン音、走行音、振動音等の騒音や振動が車室Ｒ内に侵入するのを軽減ないしは防止し、車室Ｒ内の静粛性を確保するために構成されている。
図３は、車両用ダッシュサイレンサ１０を示した平面図である。この車両用ダッシュサイレンサ１０は、概略、主ダッシュサイレンサ部位２０と、副ダッシュサイレンサ部位３０と、両部位を積層状態として保持する係止手段４０から構成されている。以下に各構成の詳細を説明する。
【００２５】
主ダッシュサイレンサ部位２０について説明する。
図３に図示されるように、主ダッシュサイレンサ部位２０は、ダッシュパネルＰ（図２参照）に面して配設される相対的に広い面積の繊維積層体から構成されたダッシュサイレンサである。この主ダッシュサイレンサ部位２０は、ダッシュパネルＰ（図２参照）に面して配設される構成であり、ダッシュパネルＰの車室Ｒ（図２参照）の内面側を覆うように外形が形成され、車室Ｒの内面の凹凸形状に即して立体凹凸状に形成されるとともに、ステアリング、ブレーキ装置、或いは各種配管等の車両装備品を貫通して取り付けるための取付孔２２が開設されている。
【００２６】
この主ダッシュサイレンサ部位２０は、繊維積層体としてマット状に集合させた繊維屑にバインダー樹脂を散布し、これを加熱した後、所定の成形型にセットしてプレス成形することにより厚肉部２４（図５参照）と薄肉部２６（図５参照）が混在し厚さが部分的に異なる構成となっている。この薄肉部２６が形成された部位を図示しない切抜型によってトリムすることによって、外形をトリミングするとともに、ステアリング、ブレーキ装置、或いは各種配管等の車両装備品を取り付けるための取付孔２２が開設される。
【００２７】
副ダッシュサイレンサ部位３０について説明する。
ここでは、副ダッシュサイレンサ部位３０を説明するにあたり、代表として主ダッシュサイレンサ部位２０の取付孔２２ａに積層状態で配設される副ダッシュサイレンサ部位３０ａの構成について説明する。
図３に図示されるように、副ダッシュサイレンサ部位３０ａは、主ダッシュサイレンサ部位２０の車室Ｒ（図２参照）の内面側に積層状態として配設されるものであり、主ダッシュサイレンサ部位２０に比べて相対的に狭い面積の繊維積層体から構成されている。この副ダッシュサイレンサ部位３０ａは、主ダッシュサイレンサ部位２０の遮音性能上必要とされる箇所に積層配置されることによって騒音や振動が車室Ｒ内に侵入するのを軽減、防止するものである。この副ダッシュサイレンサ部位３０ａの形成方法は、主ダッシュサイレンサ部位２０と同様であり、繊維積層体としてマット状に集合させた繊維屑にバインダー樹脂を散布し、これを加熱した後、所定の成形型にセットしてプレス成形することにより厚肉部２４（図５参照）と薄肉部２６（図５参照）が混在し厚さが部分的に異なる構成となっている。
【００２８】
この副ダッシュサイレンサ部位３０ａは、主ダッシュサイレンサ部位２０の成形時において平面的に隣接した一体的状態として配設されて形成されている。この副ダッシュサイレンサ部位３０ａは、主ダッシュサイレンサ部位２０の製品部位の側部外周に隣接配置されて、主ダッシュサイレンサ部位２０と共にプレス成形される。
すなわち、副ダッシュサイレンサ部位３０ａの形成位置は、主ダッシュサイレンサ部位２０がダッシュパネルＰに取り付けられる範囲の製品部位とは異なり、切抜型によって外周をトリムされて製品外として除去される製品外部位の位置に形成されている。主ダッシュサイレンサ部位２０の外周と副ダッシュサイレンサ部位３０ａとの境界は、プレス成形によって薄肉部２６として形成されており、この薄肉部２６の位置で主ダッシュサイレンサ部位２０上に折り曲げて積層配置可能な構成とされている。
なお、本実施例においては、副ダッシュサイレンサ部位３０ａは、主ダッシュサイレンサ部位２０の製品部位の側部外周に隣接配置される構成について示した。しかしながらこれに限定されることなく、本発明において、副ダッシュサイレンサ部位は、主ダッシュサイレンサ部位の成形時において平面的に隣接した一体的状態として配設されて形成される構成であればよく、例えば、主ダッシュサイレンサ部位の製品外部位の位置に形成される構成として、図３の図示上、上部外周に隣接配置される構成でもよいし、下部外周に隣接配置される構成であってもよい。
【００２９】
また、本実施例においては、副ダッシュサイレンサ部位３０ａは取付孔２２ａの位置において積層配置される構成である。すなわち、副ダッシュサイレンサ部位３０ａは、主ダッシュサイレンサ部位２０に形成された取付孔２２ａに対応する位置に、折り曲げて積層配置可能な構成とされている。更に、この副ダッシュサイレンサ部位３０ａには、主ダッシュサイレンサ部位２０の取付孔２２ａに対応して車両装備品との干渉を退避する貫通孔３２ａが形成されている。この貫通孔３２ａは主ダッシュサイレンサ部位２０に形成される取付孔２２ａより小さく形成されており、車両装備品が挿通可能な最低限の孔部が形成されている。また、この貫通孔３２ａの位置に車両装備品を挿通させるのを容易とするため、副ダッシュサイレンサ部位３０ａの外周から貫通孔３２ａに向かって切り込まれた切り込み溝３４が形成されている。
【００３０】
係止手段４０について説明する。
図３に図示されるように、この係止手段４０は、上記した、主ダッシュサイレンサ部位２０の車室Ｒ（図２参照）の内面側に副ダッシュサイレンサ部位３０を積層状態として保持するために構成されたものである。本実施例において、この係止手段４０は、面ファスナが採用されている。この面ファスナは係合面と被係合面が張り合わされて結合することによって係止する構成とされている。そして、主ダッシュサイレンサ部位２０と副ダッシュサイレンサ部位３０の重ね合わせ面のいずれか一方に係合面、他方に被係合面が貼り付けられており、係合面と被係合面が重なり合って結合することで両部位間を積層状態として保持する構成となっている。
【００３１】
この副ダッシュサイレンサ部位３０ａにおいて、主ダッシュサイレンサ部位２０の遮音性能上必要とされる取付孔２２ａの位置に積層配置される構成について説明する。
図５は、図３のV−V線断面図が図示されている。図９は、図３のIXの位置の部分拡大斜視図である。図５及び図９に図示されるように、この取付孔２２ａと同位置のダッシュパネルＰ上には、開孔（図示省略）が形成されておりこの開孔（図示省略）に車両装備品が取り付けられている。本実施例では、車両装備品の例としてワイヤーハーネス５０の取り付けについて説明する。ワイヤーハーネス用グロメット５２は、ダッシュパネルＰに設けられた開孔（図示省略）に図示しないシール材を介在させて嵌装する。そして、ワイヤーハーネス用グロメット５２の固定はパネルの孔に爪部を引っ掛け、爪部の内壁面とワイヤーハーネス用グロメット５２の平坦面でパネル、シール材を挟み込む構造となっている。
そして、主ダッシュサイレンサ部位２０をダッシュパネルＰのスタッドボルト（図示省略）に通して締結結合することでダッシュパネルＰ上に主ダッシュサイレンサ部位２０を取り付ける。このとき、ダッシュパネルＰに嵌装されたワイヤーハーネス用グロメット５２及びワイヤーハーネス５０を主ダッシュサイレンサ部位２０の取付孔２２ａに挿通する。そして、副ダッシュサイレンサ部位３０ａは、主ダッシュサイレンサ部位２０との境界に形成された薄肉部２６の位置で折り曲げられて、主ダッシュサイレンサ部位２０の車室Ｒの内面側に積層状態に配置する。
このとき、ワイヤーハーネス５０を切り込み溝３４に通して貫通孔３２ａに配置して積層状態に配置する。そして、主ダッシュサイレンサ部位２０と副ダッシュサイレンサ部位３０ａに貼り付けられた一対の面ファスナを重ね合わせて結合し、両ダッシュサイレンサ部位の積層状態を保持する。
【００３２】
このような構成の車両用ダッシュサイレンサ１０によれば、主ダッシュサイレンサ部位２０と、副ダッシュサイレンサ部位３０ａとから構成されている。この副ダッシュサイレンサ部位３０ａは、遮音性能上必要とされる箇所に積層配置されることから製品全体の目付けを上げることがない。そのため、大幅な質量の増加をさせることなく必要部位のみ製品板厚を増加し、エンジンルームＥ内の騒音及び振動が車室内に侵入するのを軽減ないしは防止して、ノイズ、バイブレーション性能の向上を図ることができる。
また、この車両用ダッシュサイレンサ１０によれば、車室Ｒ内に侵入してしまった騒音及び車室Ｒ内で発生した音を減衰させる働きもなす。
【００３３】
また、主ダッシュサイレンサ部位２０と副ダッシュサイレンサ部位３０ａとは成形時において平面的に隣接した一体的状態として配設されて形成されているため、主ダッシュサイレンサ部位２０をダッシュパネルＰに取り付けた後に主ダッシュサイレンサ部位２０の車室Ｒの内面側に折り曲げて積層状態とする作業であることから作業性の向上が図れる。
【００３４】
また、エンジンルームＥ内の騒音及び振動が車室Ｒ内側に侵入してノイズ、バイブレーション性能の影響が著しい部位は、車両装備品を取り付けるための取付孔２２ａの部位である。そのため、この取付孔２２ａの部位に副ダッシュサイレンサ部位３０ａを構成して製品板厚を増加されることで、効率よくノイズ、バイブレーション性能の向上を図ることができる。
また、副ダッシュサイレンサ部位３０ａは、車両装備品との干渉を退避する貫通孔３２ａと、外周からこの貫通孔３２ａに向かって切り込まれた切り込み溝３４とが形成されており、この貫通孔３２ａは、主ダッシュサイレンサ部位２０に形成される取付孔２２ａより小さく形成されている。すなわち、副ダッシュサイレンサ部位３０ａは、主ダッシュサイレンサ部位２０の車室Ｒの内面側に積層状態に配設する際に副ダッシュサイレンサ部位３０ａに形成された切り込み溝３４の溝部に車両装備品を通過させ、貫通孔３２ａを主ダッシュサイレンサ部位２０の取付孔２２ａの位置に配設する構成となっている。また、貫通孔３２ａは、主ダッシュサイレンサ部位２０の取付孔２２ａより小さく形成されているため、車両装備品との干渉を退避するとともに、エンジンルームＥ内の騒音及び振動が車室Ｒの内側に侵入するのを抑制する構成とされている。
【００３５】
なお、本実施例においては、副ダッシュサイレンサ部位３０ａは、主ダッシュサイレンサ部位２０の成形時において平面的に隣接した一体的状態とした構成のものについて示した。すなわち、主ダッシュサイレンサ部位２０の外周と副ダッシュサイレンサ部位３０ａとの境界は、プレス成形によって薄肉部２６として形成されて、インテグラルヒンジとして一体的に接続された構成のものである。図４は、本実施例に係る車両用ダッシュサイレンサの変形例を示した平面図である。図６は、図４のVI−VI線断面図が図示されている。図１０は、図４のXの位置の部分拡大斜視図である。図４、図６及び図１０に図示されるように、実施例１の変形例は、副ダッシュサイレンサ部位３０ｂが、上記実施例１における薄肉部２６の位置で主ダッシュサイレンサ部位２０とは切り離されて別体として構成され、取付孔２２ｂの位置に積層状態として配設された構成のものである。かかる変形例は主ダッシュサイレンサ部位２０と副ダッシュサイレンサ部位３０ｂとを隣接した一体的なものとして形成困難な部位に適用される。
【実施例２】
【００３６】
次に、この発明の実施例２に係る車両用ダッシュサイレンサを図３、図４、図７、図８にしたがって説明する。
ここでは、代表として主ダッシュサイレンサ部位２０の取付孔２２ｃに積層状態で配設される副ダッシュサイレンサ部位３０ｃの構成について説明する。なお、上記実施例１と同一構成部分には同一符号を付して説明を省略することがある。この実施例２では、上記実施例１とは副ダッシュサイレンサ部位３０ｃの配設位置が異なっている。すなわち、図３、図７に図示されるように、主ダッシュサイレンサ部位２０は車両装備品を取り付けるための取付孔２２ｃを有する構成である。そして、この取付孔２２ｃを形成するために切り抜く部位の一部又は全部を副ダッシュサイレンサ部位３０ｃとして形成する構成のものである。
【００３７】
図３、図７に図示されるように、この副ダッシュサイレンサ部位３０ｃとして形成する主ダッシュサイレンサ部位２０の取付孔２２ｃを形成するために切り抜く部位は、取付孔２２ｃの縁の一部が主ダッシュサイレンサ部位２０と一体的接続状態となっている。この接続状態箇所を折り曲げて、切り抜いた部位の副ダッシュサイレンサ部位３０ｃを主ダッシュサイレンサ部位２０に対して積層状態とする構成のものである。
なお、副ダッシュサイレンサ部位３０ｃは取付孔２２ｃの位置において積層配置される構成、主ダッシュサイレンサ部位２０の取付孔２２ｃに対応して車両装備品との干渉を退避する貫通孔３２ｃが形成されている構成、貫通孔３２ｃの位置に車両装備品を挿通させるのを容易とするため、副ダッシュサイレンサ部位３０ｃの外周から貫通孔３２ｃに向かって切り込まれた切り込み溝３４が形成されている構成、については実施例１と同様である。この実施例２における副ダッシュサイレンサ部位３０ｃの配設位置は実施例１と異なるが形成方法は上記実施例１と同様である。
【００３８】
以上より、本実施例２の副ダッシュサイレンサ部位３０ｃは、実施例１と同一の機能を果たし、同一の作用、効果を得ることができると共に、次のような作用、効果を得ることができる。すなわち、副ダッシュサイレンサ部位３０ｃの構成は、主ダッシュサイレンサ部位２０が車両装備品を取り付けるための取付孔２２ｃを形成するために切り抜く部位の一部又は全部を活用するものである。そのため、従来、取付孔２２ｃを形成するために切り抜く部位は除去されて廃却されていた部位であるが、これを副ダッシュサイレンサ部位３０ｃとして有効に活用できる構成であるため、大幅な質量の増加をさせることなく必要部位のみ製品板厚を増加しノイズ、バイブレーション性能の向上を図ることができる。
また、副ダッシュサイレンサ部位３０ｃとして形成する主ダッシュサイレンサ部位２０の取付孔２２ｃを形成するために切り抜く部位は取付孔２２ｃの縁の一部が主ダッシュサイレンサ部位２０と一体的接続状態となっており、副ダッシュサイレンサ部位３０ｃの取付作業性が向上する。
【００３９】
なお図３、図７に図示されるように、実施例２では、副ダッシュサイレンサ部位３０ｃは、主ダッシュサイレンサ部位２０の成形時において取付孔２２ｃを形成するために切り抜く部位において取付孔２２ｃの縁の一部が主ダッシュサイレンサ部位２０と一体的接続状態となっている構成のものについて示した。すなわち、主ダッシュサイレンサ部位２０と副ダッシュサイレンサ部位３０ｃとの境界は、プレス成形によって薄肉部２６として形成されて一体的に接続された構成のものである。
図４は、本実施例に係る車両用ダッシュサイレンサの変形例を示した平面図である。図８は、図４のVIII−VIII線断面図が図示されている。図４及び図８に図示されるように、実施例２の変形例として副ダッシュサイレンサ部位３０ｄは、上記取付孔２２の薄肉部２６の位置で切り離されて別体として構成され、取付孔２２ｄに積層状態として配設された構成を適用できる。
【００４０】
なお、この発明は前記実施例に限定するものではなく、この発明の要旨を逸脱しない範囲内において、種々なる形態で実施することもできる。
上記実施例においては、係止手段４０は面ファスナとする構成について示したが、これに限定されることはなく、本発明における係止手段は種々の係止手段を適用できるものである。例えば、樹脂クリップによって主ダッシュサイレンサ部位２０と副ダッシュサイレンサ部位３０を係合させる係止手段であってもよいし、ボルトナット、螺子部材等の締結手段によって係止する手段であってもよい。また、主ダッシュサイレンサ部位２０と副ダッシュサイレンサ部位３０のいずれか一方に切り込み状のスリットを設け、他方に繊維積層体の端部をこのスリットに差込可能な構成とするものであってもよい。また、上記の組み合わせてあってもよい。
【００４１】
また、上記実施例においては、副ダッシュサイレンサ部位が主ダッシュサイレンサ部位の遮音性能上必要とされる箇所に積層配置された構成として、取付孔の位置に積層配置される構成について説明した。しかしながら、これに限定されることなく、主ダッシュサイレンサ部位の遮音性能上必要とされる箇所は、取付孔の位置に限定されず、取付孔等が形成されない主ダッシュサイレンサ部位の各位置にも適用できるものである。
【符号の説明】
【００４２】
１０    車両用ダッシュサイレンサ
２０    主ダッシュサイレンサ部位
２２ａ  取付孔
２２ｂ  取付孔
２２ｃ  取付孔
２２ｄ  取付孔
２４    厚肉部
２６    薄肉部
３０ａ  副ダッシュサイレンサ部位
３０ｂ  副ダッシュサイレンサ部位
３０ｃ  副ダッシュサイレンサ部位
３０ｄ  副ダッシュサイレンサ部位
３２ａ  貫通孔
３２ｂ  貫通孔
３２ｃ  貫通孔
３２ｄ  貫通孔
３４    切り込み溝
４０    係止手段
５０    ワイヤーハーネス
５２    ワイヤーハーネス用グロメット
Ｅ      エンジンルーム
Ｒ      車室
Ｐ      ダッシュパネル
【図１】
0005512197.tif 000002
【図２】
0005512197.tif 000003
【図３】
0005512197.tif 000004
【図４】
0005512197.tif 000005
【図５】
0005512197.tif 000006
【図６】
0005512197.tif 000007
【図７】
0005512197.tif 000008
【図８】
0005512197.tif 000009
【図９】
0005512197.tif 000010
【図１０】
0005512197.tif 000011